(57)【要約】【課題】切断辺に拘わらず切り離した切断紙片を確実に収納部に落下させることが可能なシート束断裁装置を提供する。【解決手段】平刃形状の断裁刃でシート束を断裁した後に、その断裁片に応じて偏向手段が保持するシート束で屑紙片を落下させる時、その移動量を切断処理したシート束の切断片に応じて異ならせる。シート束の周縁を断裁する断裁装置であって、所定の断裁位置（Ｃｐ）に配置された平刃形状の断裁刃（２２）と、断裁刃とシート束を挟んで対向配置された刃受部材（２１）と、断裁刃の駆動手段（Ｍｃ）と、断裁位置の上流側に配置されシート束の角度姿勢を偏向する偏向手段（１０）と、偏向手段を屑紙片の落下方向に移動するシフト手段（２５）と、シフト手段による落下方向の移動量を制御する制御手段（５５）とを備える。【選択図】図３
2015217494.tif 000002
【特許請求の範囲】
【請求項１】
シート束の周縁を断裁する断裁装置であって、
所定の断裁位置に配置された平刃形状の断裁刃と、
前記断裁刃とシート束を挟んで対向配置された刃受部材と、
前記断裁刃の駆動手段と、
前記断裁位置の上流側に配置されシート束の角度姿勢を偏向する偏向手段と、
前記偏向手段を屑紙片の落下方向に移動するシフト手段と、
前記シフト手段による落下方向の移動量を制御する制御手段と、
を備え、
前記制御手段は、
切断処理後に前記偏向手段が保持するシート束で屑紙片を落下させるように前記偏向手段を落下方向に移動すると共に、
その移動量を切断処理したシート束の切断辺に応じて異ならせることを特徴とするシート束断裁装置。
【請求項２】
前記制御手段は、
シート束の小口部を断裁するときの前記移動量より、シート束の天部又は地部を断裁するときの前記移動量が大きくなるように前記シフト手段を制御することを特徴とする請求項１に記載のシート束断裁装置。
【請求項３】
前記シート束は背部を綴じ処理されていることを特徴とする請求項２に記載のシート束断裁装置。
【請求項４】
前記制御手段は、
シート束の枚数若しくは束厚さが所定値以上のとき、前記偏向手段の移動量を切断処理辺に応じて異ならせることを特徴とする請求項１又は２に記載のシート束断裁装置。
【請求項５】
前記制御手段には、
前記シート束のシート枚数を検出するカウント手段若しくは前記シート束の束厚さを検出する厚さ検出手段が備えられていることを特徴とする請求項４に記載のシート束断裁装置。
【請求項６】
前記制御手段は、
シート束を断裁する断裁幅が所定値以上のとき
前記偏向手段の移動量を異ならせる断裁辺に応じて異ならせ
前記偏向手段の移動量を切断処理辺に応じて異ならせることを特徴とする請求項１又は２に記載のシート束断裁装置。
【請求項７】
前記制御手段には、
前記シート束のシート枚数を検出するカウント手段若しくは前記シート束の束厚さを検出する厚さ検出手段が備えられていることを特徴とする請求項５に記載のシート束断裁装置。
【請求項８】
前記制御手段は、
切断処理後に前記偏向手段を下流側に移動させる際に、
前記偏向手段を回転させて保持するシート束の切断辺とは異なる縁辺で紙片屑を落下させることを特徴とする請求項１から７のいずれか１項に記載のシート束断裁装置。
【請求項９】
前記制御手段は、
前記偏向手段を、保持するシート束が処理した切断辺より長い縁辺で紙片屑を落下させるように回転することを特徴とする請求項６に記載のシート束断裁装置。
【請求項１０】
前記制御手段は、
前記偏向手段を、保持するシート束が未切断の縁辺で紙片屑を落下させるように回転することを特徴とする請求項６に記載のシート束断裁装置。
【請求項１１】
前記制御手段は、
シート束の天部または地部を断裁するとき、
切断処理後に前記偏向手段を回転させてシート束の小口部または背部で紙片屑を落下させることを特徴とする請求項６に記載のシート束断裁装置。
【発明の詳細な説明】
【技術分野】
【０００１】
本発明は、製本装置などで製本綴じしたシート束をトリミング断裁するシート束断裁装置に係わり、断裁したシート束の屑紙片を確実に収納部に収納する屑紙片除去機構の改良に関する。
【背景技術】
【０００２】
一般にこの種の断裁装置は、束状に部揃え集積したシートの背部を綴じ処理してその周縁をトリミングする断裁装置として知られている。このトリミングは、背部、地部、小口部の一辺を断裁する場合と、三方向を断裁する方法が採られている。また、断裁機構としては、紙載テーブルに載置したシート束を平板形状の平刃で切断するギロチン切断機構と、円板形状の回転刃をシート束の一端から他端に移動させて切断するディスク切断機構が採用されている
【０００３】
例えば特許文献１には、シート束を回転テーブルに支持した偏向機構で断裁する切断辺を断裁位置にセットし、平板形状の切断刃と刃受部材をシート束を挟んで対向する位置に配置し、切断刃を待機位置から切断刃位置に移動することによってシートを切断する機構が開示されている。同文献の刃受部材はゴム等の軟質素材で構成され、刃先エッジの損耗を防止している。また切断機構の上流側にはシートを部揃え集積して、その背部に接着剤を塗布した後に表紙シートでくるみ製本する機構が開示されている。
【先行技術文献】
【特許文献】
【０００４】
【特許文献１】特開２０１０−８２７９０号公報
【発明の概要】
【発明が解決しようとする課題】
【０００５】
上述のように刃受部材と板状切断刃を対向配置してシート束を断裁する機構は既に知られている。この場合に刃受部材は比較的軟質な素材で構成し、刃先の損耗を防止することも当然に行なわれている。またシート束を断裁した屑紙片は、その自重で落下させ収納ボックスなどに収容している。
【０００６】
このような機構でシート束を切断するとき、切断した屑紙片が切断部に引っ掛かって落下することなくその位置に留まってジャムを引き起こすことがある。これは刃受部材に生じた切断傷（溝）に紙片が引っ掛かることに原因する。そこで特許文献１には切断処理後にシート束を紙片屑の落下方向に移動させて刃受部材に付着した紙片屑を掻き落とすことが提案されている。
【０００７】
その機構として同文献には、切断位置の上流側に配置されているシート束の姿勢を変更させる偏向機構を、切断処理した後にシート束を保持した状態で下流側に移動させて刃受部材に付着した屑紙片を掃き落としている。
【０００８】
ところが従来の特許文献１に提案されている制御機構は、シート束の断裁した切断縁の状態に関係なく予め設定された移動量だけ偏向手段を移動している。このため次のような切断辺の状態では確実に屑紙片を落下させることができない。
【０００９】
シート束は製本処理のため、その一辺（例えば背部）を糊付けなどで綴じ処理されているとき、天部又は地部を断裁する時には屑紙片は背部が糊付けされた塊り（パッド状態）で切り離される。これに対し小口部を断裁するときには屑紙片は、短冊形状でバラバラの状態で切り離される。従って刃受部材に付着した屑紙片は、天部、地部を断裁したときと、小口部断裁したときでは、その状態が大きく異なり、天・地部のときには付着紙片は掻き落とし難く、小口部のときには掻き落としやすい。
【００１０】
このように断裁する切断辺に応じて切り離される屑紙片の状態が異なるのに対し従来の特許文献１の装置では、切断辺に関係なく一定の移動量ずつ偏向機構を位置移動している。このため切断紙片のジャムを確実にぼうしすることが出来ない。
【００１１】
本発明は、切断辺に拘わらず切り離した切断紙片を確実に収納部に落下させることが可能なシート束断裁装置の提供をその課題としている。
【課題を解決するための手段】
【００１２】
上記課題を解決するため本発明は、平刃形状の断裁刃でシート束を断裁した後に、その断裁片に応じて偏向手段が保持するシート束で屑紙片を落下させる時、その移動量を切断処理したシート束の切断片に応じて異ならせることを特徴としている。
【００１３】
更に、その構成を詳述すると、シート束の周縁を断裁する断裁装置であって、所定の断裁位置（Ｃｐ）に配置された平刃形状の断裁刃（２２）と、断裁刃とシート束を挟んで対向配置された刃受部材（２１）と、断裁刃の駆動手段（Ｍｃ）と、断裁位置の上流側に配置されシート束の角度姿勢を偏向する偏向手段（１０）と、偏向手段を屑紙片の落下方向に移動するシフト手段（２５）と、シフト手段による落下方向の移動量を制御する制御手段（５５）とを備える。
【００１４】
そして上記制御手段は、切断処理後に偏向手段が保持するシート束で屑紙片を落下させるように偏向手段を落下方向に移動するように構成する。このとき、その移動量を切断処理したシート束の切断辺（Ｓａ、Ｓｂ、Ｓｃ、Ｓｄ）に応じて異ならせる。
【００１５】
なお、偏向手段の移動量を異ならせる態様は、オペレータが設定した断裁辺毎に移動量を、予め設定して記憶手段に記憶し、オペレータによって設定された切断辺に対応する移動量に設定する。このとき記憶手段に記憶する移動量を天部地部小口部によって異なる値に設定し、その方法はジャムした屑紙片を最も掃き落としやすい移動量を実験によって求める。
【００１６】
また、オペレータによってシート束の断裁辺が一方向に設定された場合には、その切断辺が予め設定されている三方向の何れか対応する移動量を選定する。また断裁辺が三方向に設定された場合には、制御手段で偏向手段を回転させるのと同時に、断裁辺に応じて移動量を設定する。
【発明の効果】
【００１７】
本発明は、切断処理したシート束の切断辺に応じて屑紙片を落下させるための偏向手段の掃き落とし移動量を異ならせるものであるから以下の効果を奏する。
【００１８】
シート束の切断する辺縁に応じて切断処理後にシート束を屑紙片の落下方向に移動する移動量を異ならせるものであるから、断裁辺が天部或いは地部であるときと小口部であるときにその移動量を異ならせることが出来る。従って屑紙片が糊付けされたパッド状塊であっても、或いは屑紙片がバラバラに分離された状態であっても確実に収納部に向けて落下させることができる。
【００１９】
また本発明は、刃受部材など切断部に付着して滞留する屑紙片を、切断処理後のシート束の縁辺で掻き落とす際に、シート束の角度方向を異ならせてから落下方向に移動する構成を採用することによって、切断辺より距離の長い縁辺で屑紙片を掃き落とすように回転する。これによって刃受部材は切断された面より広い面を掃き落とされることとなり、確実に落下させることができる。同様に、切断辺と異なる縁辺で屑紙片を掃き落とすように回転することによって、仕上がり状態のシート束の縁辺に傷汚れなどが残る心配がない。
【００２０】
更に本発明は、シート束の束厚さ（枚数）に応じて、例えば、所定束厚さ以上のときには、切断辺に応じて落下方向の移動量を増減し、所定束厚さ以下のときには予め設定された移動量で切断紙辺に関係なく落下方向に移動する。このような制御によって効率的に断裁処理を行なうことができる。
【図面の簡単な説明】
【００２１】
【図１】本発明に係わる断裁装置の全体構成の説明図。
【図２】背部を綴じ処理されシート束周縁の三方向を断裁するトリミング処理の説明図であり、（ａ）は断裁状態を示す斜視構成を、（ｂ）は周縁を断裁するカット領域の説明図。
【図３】図１の装置における断裁処理の第１の動作状態（断裁辺で掃き落とす実施形態）の説明図であり、（ａ）は断裁状態を、（ｂ）は断裁後の掃き落とし動作状態を示す。
【図４】図１の装置における断裁処理の第２の動作状態（断裁辺と異なる縁辺で掃き落とす実施形態）を示し、（ａ）は断裁状態を、（ｂ）は断裁後の掃き落とし動作状態を示す。
【図５】図１の装置における断裁処理の第３の動作状態（断裁辺と異なる長縁辺で掃き落とす実施形態）を示し、（ａ）は断裁状態を、（ｂ）は断裁後の掃き落とし動作状態を示す。図１の装置におけるシート束のトリミング方法の説明図
【図６】図１の装置を内蔵した製本装置の説明図。
【図７】図６の製本装置の制御構成の説明図。
【図８】図１の装置における第１の断裁動作の手順を示すフローチャート。
【図９】図１の装置における第２の断裁動作の手順を示すフローチャート。
【図１０】図１の装置における第３の断裁動作の手順を示すフローチャート。
【発明を実施するための形態】
【００２２】
以下図示の好適な実施の形態に基づいて本発明を詳述する。図１は、本発明に係わるシート束断裁装置Ａの構成説明図であり、後述する製本装置Ｂに内蔵したシート束断裁ユニットＡ（以下「トリマーユニット」と云う）の要部構成を示している。
【００２３】
［シート束断裁機構］
図１に従って本発明に係わるシート束断裁装置Ａ（トリマーユニット）について説明する。トリマーユニットＡは、シート束を保持した状態で所定角度方向に回転する偏向手段１０と、この偏向手段１０を回転する駆動手段と、偏向手段を屑紙片の落下方向に位置移動するシフト手段２５と、所定の断裁位置Ｃｐにシート束を保持する断裁縁プレス手段１７（加圧機構）と、断裁位置Ｃｐに保持されたシート束を断裁する断裁手段（カッタ機構）２０と、断裁位置Ｃｐで切断された屑紙片を収納する屑ボックス５１（屑紙片収納部）と、上記各手段を制御する制御手段５５で構成されている。
【００２４】
上記偏向手段１０は、シート束を保持した状態で回転する一対の回転部材、グリップ部材、ターンテーブルなどで構成する。後述する偏向手段１０は一対の回転部材（第１グリップ部材１０ａと第２グリップ部材１０ｂ）で構成され、シート束を断裁位置Ｃｐの上流側で回転させて切断縁を断裁位置Ｃｐに臨ませる。このため偏向手段１０には断裁位置Ｃｐの上流側に配置され、シート束を保持した状態で下流側に移動するようにシフト手段２５が設けられている。
【００２５】
上記断裁手段２０は、平板形状の切断刃２２と、この切断刃とシート束を挟んで対向する位置に配置された刃受部材２１と、切断刃２２を待機位置から切断位置に移動するカッタ駆動手段Ｍｃで構成されている。
【００２６】
上記制御手段５５は、上記偏向手段１０にシート束を保持（ホールド）する動作と、保持したシート束の角度姿勢を異ならせるシート束回転動作と、シート束を断裁量に応じて断裁位置Ｃｐに移動してセットするセット動作を実行させる。また制御手段５５は、上記断裁手段２０にシート束をセットされた切断量で切断する断裁動作を実行させる。そして制御手段５５は上記偏向手段１０をシート束の落下方向に移動させて（経路に引っ掛って滞留する）屑紙片を落下させて屑ボックス５１に収納する屑紙片収納動作を実行させる。
【００２７】
上記屑紙片収納動作は、偏向手段１０にシート束を保持した状態で屑紙片の落下方向に移動させてシート束の縁辺で滞留する屑紙片を掃き落とす動作を実行させる。この切断終了後のシート束の掃き落とし動作は、（１）切断終了後にシート束の断裁縁辺で滞留するシート束を掃き落とすか、又は（２）切断終了後に、シート束を回転させて未断裁縁辺でシート束を掃き落とすか、（３）切断終了後に、シート束を回転させて断裁したシート縁辺より長いシート縁辺でシート束を掃き落とす動作のいずれかを採用する。
【００２８】
このため制御手段５５は、シート束の断裁辺に応じて屑紙片を落下させるための偏向手段１０の移動量を設定するための、移動量記憶手段（後述のＲＡＭ５６）と、掃き落とすシート束の断裁辺を断裁する断裁動作と、屑紙片の収容動作を実行するように構成されている。
【００２９】
図示の偏向手段１０は、第１回転部材（以下第１グリップ部材という）１０ａと第２回転部材（以下第２グリップ部材という）１０ｂで構成され、両部材はユニットフレーム１５に回転可能に軸受支持されている。第１グリップ部材１０ａはシート束をニップする方向（挟圧方向）に移動可能（スライダブリーに）に支持され、グリップモータＭｇでシート束を第２グリップ部材１０ｂとの間でニップおよびニップ解除するように構成されている。
【００３０】
上記第１グリップ部材１０ａには第１回転モータＭｔ１が、第２グリップ部材１０ｂには第２回転モータＭｔ２がそれぞれ連結され、両モータは同一の回転速度で各グリップ部材を回転するように構成されている。またユニットフレーム１５は、上述の第１、第２グリップ部材１０ａ、１０ｂを搭載した状態で断裁位置Ｃｐに向けて位置移動可能に構成され、シフトモータＭｆとラックピニオン機構（不図示）でグリップしたシート束を断裁位置Ｃｐ方向に移送する。
【００３１】
上記断裁縁プレス手段１７は、偏向手段１０で断裁位置Ｃｐに送られたシート束を断裁可能に保持する。この断裁縁プレス手段１７は、加圧部材１９とこれを付勢する付勢スプリング（不図示）と、加圧解除部材（牽引部材、スクリューネジ部材なと）で構成する。
【００３２】
上記断裁手段２０は、切断刃２２と、カッタ駆動部材で構成する。図示のものは、板状の切断刃２２と、カッタ作動部材（スクリュー機構）２３と、駆動モータ（カッタモータ）Ｍｃで構成されている。図示２１は断裁位置Ｃｐにシート束を挟んで断裁刃２２と対向する位置に配置された刃受部材であり、切断刃２２の刃先を損耗しない弾性部材で構成されている。
【００３３】
上記偏向手段１０には、屑紙片の落下方向に移動するシフト手段２５が設けてある。上記シフト手段２５は、偏向手段１０で断裁位置Ｃｐに向けて姿勢偏向させたシート束を断裁位置Ｃｐに給送する搬送機構を兼ねている。図示の装置は、後述するように偏向手段１０でシート束を回転して姿勢偏向したのちに断裁位置Ｃｐ方向に束移動させ、シート束の断裁ラインと切断刃２２を一致させている。
【００３４】
このような構成において、制御手段５５は偏向手段１０と断裁縁プレス手段１７と断裁手段２０を次のように制御する。偏向手段１０は上流側から送られたシート束を、第１グリップ部材１０ａと、第２グリップ部材１０ｂとの間でニップする。この動作はグリップモータＭｇを回転して、グリップセンサ（例えば第１グリップ部材１０ａに配置したシート接触センサ）からの信号でグリップモータＭｇを停止する。するとシート束は第１、第２グリップ部材１０ａ、１０ｂで挟持され、その加圧力は図示しない加圧スプリングで付与されている。
【００３５】
次に制御手段５５は、第１回転モータＭｔ１と第２回転モータＭｔ２を同一方向に同一速度で回転する。図示の各モータＭｔ１，Ｍｔ２はステッピングモータでその回転角度をコントロール可能（例えばＰＷＭ制御）に構成されている。また、両モータＭｔ１，Ｍｔ２の回転速度もモータドライバに供給するパルス電源のデューティ比で高速度から低速度まで調整可能となっている。
【００３６】
「動作説明」
上述の構成における断裁動作について説明する。まず一般的に製本処理されたシート束のトリミング断裁について説明する。図２に示すように背部Ｓｄを接着剤などで綴じ処理され、天部Ｓａと地部Ｓｂと小口部Ｓｃを断裁揃えする三方向断裁と、小口部（または天部、地部）などの一方向断裁かオペレータによって指定される。
【００３７】
本発明は、一方向断裁であっても良いが三方向断裁の場合について説明する。装置の制御部（後述する画像形成制御部５３）には、製本仕上げするか否か、三方向断裁するか否か、一方向断裁するか否か「後処理モード設定手段５４（オペレーションパネルなど）」が設けられている。
【００３８】
また、後処理装置Ｂ（製本装置）の制御部（制御ＣＰＵ５５）には、三方向断裁のときにはシート束の回転方向と、断裁量演算手段と、断裁順が予め定められている。図示の装置は背部Ｓｄを断裁位置Ｃｐに向けて（図１下方）シート束が断裁部に供給され、９０度回転させて天部Ｓａを断裁し、次に１８０度回転させて地部Ｓｂを断裁し、次いで９０度回転させて小口部Ｓｃを断裁し、最後に１８０度回転させて背部Ｓｄから排紙経路に搬出する。この場合にシート束を背部ＳｄからトリマーユニットＡに供給し、背部から搬出する方向については図示の製本装置の構成上の関係であり、その方向性に技術的必然性はない。
【００３９】
各断裁辺の断裁量は、天部Ｓａと地部Ｓｂの場合には［（用紙サイズ−仕上げサイズ）／２］で演算され、小口部Ｓｃの場合には［（用紙サイズ−仕上げサイズ）］で演算される。またこれらの算出値が予め設定された最小断裁量より小さいときには、断裁量は最小断裁量に設定される。
【００４０】
また制御部（後述の制御ＣＰＵ５５）には、断裁処理後にシート束を保持した状態で偏向手段１０を屑紙片の落下方向に移動する移動量を設定する手段が設けられている。この手段は制御ＣＰＵ５５の実行プログラムに組み込まれ、記憶手段（後述のＲＡＭ５６）に予め準備された移動量データ（時間データ又は距離データ）を読み出す。そして移動量データは断裁した屑紙片が断裁刃２２或いは刃受部材２１に付着したとき、この断裁部に残留（付着）屑紙片をシート束の縁辺で掃き落とすときの移動量を実験によって設定する。
【００４１】
図示の装置は断裁動作を次の第１の動作手順と、第２の動作手順と、第３の動作手順で実行する。第１の動作手順は、「シート束の束厚さ」若しくは「カット量（切断除去するシート幅）」が所定値以下のときに「断裁動作」を実行し、その動作後に偏向手段１０を所定量だけ、屑紙片の落下方向に移動する「屑紙片掃き落し動作」を実行する。この屑紙片掃き落し動作は、シート束の断裁辺に関係なく予め設定された一定の移動量に設定する。第２の動作手順は、シート束が束厚さ若しくはカット量が所定値以上のときに断裁動作を実行した後、その動作後に偏向手段１０を「断裁辺に応じた移動量」で屑紙片の落下方向に移動する（屑紙片掃き落し）動作を実行する。第３の動作手順は、シート束の断裁辺の状態に応じて断裁動作を実行した後、その動作後に偏向手段１０を回転させて（１）未切断縁辺で屑紙片を掃き落とすか、（２）断裁辺より長い縁辺で屑紙片掃き落す動作を実行する。
【００４２】
上記第１の動作手順について図８に示すフローチャートに従って説明する。シート束給送（Ｓｔ０１）上流側から断裁部（トリマーユニットＡ）にシート束を給送する。次に偏向手段１０でシート束を保持し（Ｓｔ０２）、設定された断裁辺が断裁位置Ｃｐに望むようシート束を回転する（Ｓｔ０３）。
【００４３】
次に偏向手段１０で断裁辺を断裁位置Ｃｐの切断線を基準に断裁量カットするようにセットする（Ｓｔ０４）。次いで断裁縁プレス手段１７でシート束の切断縁を加圧保持し（Ｓｔ０５）、切断刃２２を待機位置から切断位置に移動して断裁辺を断裁する（Ｓｔ０６）。断裁処理後、切断刃２２を待機位置に待機させる。
【００４４】
次いで断裁縁プレス手段１７によるシート束の加圧を解除する（Ｓｔ０７）。そして偏向手段１０を屑紙片の落下方向に所定量移動する。この動作によって断裁動作で刃受部材２１などに引っ掛かって滞留するジャム屑紙片を強制的に落下させた後に（Ｓｔ０８）、偏向手段１０を原位置に復帰させる（Ｓｔ０９）。断裁によって発生した屑紙片は、以上の動作で落下して屑ボックス５１に回収される（Ｓｔ１０）。
【００４５】
次に断裁動作を続行するとき、前記第３ステップ（Ｓｔ０３）に戻って後続するシート縁辺を断裁する。断裁終了後は先と同様に偏向手段１０を所定量落下方向に移動する。以上の動作を繰り返してシート束の周辺を順次断裁する。断裁終了後は上記掃き落し動作で屑紙片を屑ボックス５１に回収する。
【００４６】
上記第２の動作手順について図９に従って説明する。前記第１の動作手順と同様に上流側から送られたシート束を偏向手段１０で保持する。そしてその姿勢を断裁辺が断裁位置Ｃｐに望むように回転する（Ｓｔ２０〜Ｓｔ２２）。次に偏向手段１０で断裁辺を断裁位置Ｃｐの切断線を基準に断裁量設定手段で設定されたカット量だけ切断刃２２がカットするようにセットする（Ｓｔ２３）。
【００４７】
次いでシート束の断裁縁を断裁縁プレス手段１７で加圧保持する（Ｓｔ２４）。そして断裁動作を実行する（Ｓｔ２５）。断裁刃２２を待機位置から切断位置に移動（カッタモータの駆動回転）する動作で断裁辺を断裁し、断裁後には、断裁刃２２を待機位置に待機させる。
【００４８】
次いで断裁縁プレス手段１７でシート束の保持を解除する（Ｓｔ２６）。そこで制御手段５５はこれらの動作と前後して、オペレータによって指定された断裁辺に対応する断裁処理シート束の側方向移動量を記憶手段（ＲＡＭ５６など）から呼び出す。この記憶手段５６には、断裁するシート縁辺に応じて「掃き落し移動量δ」があらかじめ設定されている。
【００４９】
図示の装置では天部断裁のときδ１、地部断裁のときδ１、小口部断裁のときδ２（δ１＞δ２）に設定してある。これは、天部・地部断裁のときには屑紙片は背部を糊付けされたパッド状の塊として切断され、これが切断部に（接着糊などで）残留したときに、その除去は紙葉毎に分離した小口部断裁のときと比べて落下させるのが難しい。
【００５０】
このように断裁する断裁辺に応じて、断裁後に残留した屑紙片を落下させるための偏向手段１０の移動量を大小（δ１＞δ２）に調整する。これと共にシート束の束厚さに応じて、例えば束厚さが所定値以下のとき（束厚さが小さいとき）には偏向手段１０の移動量は、天部Ｓａ、地部Ｓｂ、小口部Ｓｃとも同一値に設定し、束厚さが所定値以上のときには、（δ１＞δ２）のように断裁辺に応じて異ならせる。
【００５１】
なお、シート束の束厚さに応じて掃き落し移動量を異ならせる場合に、その束厚さは例えば前述のグリップ部材１０ａ、１０ｂのグリップ間隔で検出するか、シート枚数から束厚さを検出する。
【００５２】
上記掃き落と移動量δは、設計値として屑紙片がジャムしやすい縁辺の場合には移動量が大きく、ジャムしにくい縁辺の場合には移動量が小さく設定してある。このジャムしやすい縁辺とは、シート束の背部Ｓｄが糊付けされ製本化されているときには背部Ｓｄまたは地部Ｓｂの屑紙片は糊付けされたパッド状塊となって切り離される。
【００５３】
そこで糊付け部が刃受部材２１に引っ掛かった状態で滞留ジャムする可能性が大きい。これに対し小口部Ｓｃの屑紙片は糊付されていないバラバラの状態で切り離される。従って天部Ｓａと地部Ｓｂはジャムしやすく、小口部Ｓｃはジャムし難いことが実験的に実証されている。またこのジャムの確率は刃受部材２１に繰り返し断裁による傷がある場合、背部の接着糊が乾燥不良のときにもジャムし易いこととなる。
【００５４】
そこで図示の装置はオペレータによって一方向断裁が指定されたとき、その指定断裁辺が「天部Ｓａ」「小口部Ｓｃ」のときには、掃き落し移動量δを大きくし、指定断裁辺が「小口部Ｓｃ」のときには、掃き落とし移動量δを小さく設定する。このときの各移動量δは屑紙片を落下させる最適の移動量に設定され、例えば実験で求めた移動データを記憶手段５６に記憶しておく。
【００５５】
また、オペレータによって三方向断裁が指定されたとき、その断裁順はあらかじめ設定されている。この断裁順は例えば図示の装置では、背部Ｓｄを下（断裁位置に向けて）に送られたシート束を９０度回転して「天部Ｓａ」、次で１８０度回転して「地部Ｓｂ」、次いで９０度回転して「小口部Ｓｃ」の順に断裁する順序が設定されている。そして各縁辺について断裁処理後の掃き落し移動量δが設定され記憶手段５６に記憶されている。この記憶手段５６からデータを呼び出して移動量を設定する。この場合も先の一方向断裁と同様に、天部・地部の移動量は小口部の移動量より大きい値に設定されている。
【００５６】
次に上記第３の動作手順を図１０に従って説明する（Ｓｔ３０〜Ｓｔ４０）。第２の動作手順で断裁処理したシート束の切断縁辺で刃受部材２１などに付着した屑紙片を掃き落とすことによって切断縁辺は汚損する問題が生ずる。また、屑紙片が切断された端縁から外側（シート幅方向）に外れた状態で引っかかりジャムを生ずることが起き得る。
【００５７】
上記問題を解決するため、切断処理部にシート束の角度姿勢を回転させて「切断縁辺とは異なるシート縁辺で屑紙片を掃き落とす」動作を実行する。まずシート縁辺の汚損については未切断縁を断裁位置Ｃｐに臨ませに回転させ、その後にシート束を設定された移動量（δ）だけ落下方向に移動する。また屑紙片の掃き落し不良については、切断縁辺より長い辺のシート縁辺で屑紙片を掃き落とす」ことによって解決する。
【００５８】
図示の装置は三方向断裁のとき、天部断裁では、断裁未処理の地部縁辺または小口部縁辺で掃き落し動作を実行する。これによって上記第１の問題を解決することが出来る。また天部断裁では、小口部縁辺または背部縁辺で掃き落し動作を実行する。これによって上記第２の問題を解決することができる。地部断裁のときにも天部断裁と同様に掃き落し動作を実行することによって上記第１、第２の問題を解決することができる。
【００５９】
以上、断裁するシート束の断裁辺に応じて断裁後の屑紙片の掃き落し動作の移動量を異ならせることについて説明したが、この掃き落し移動量（δ）の設定において、シート束の断裁量（カット幅）が所定値以上のときには掃き落し移動量を大きく設定し、断裁量が所定値以下のときには掃き落し移動量（δ）を小さく設定することも可能である。
【００６０】
上記掃き落し量を異ならせる制御は、前述のシートがシフト手段２５のシフトモータＭｆの回転量を異ならせることによって可能である。図示のシフトモータＭｆにはホームポジションセンサが配置され、その位置を基準にモータに供給するパルス電源のデューティ比を異ならせる（ＰＷＭ制御）或いはシフトモータＭｆの回転軸にエンコーダを設け、エンコードセンサからの回転量検出でモータの回転角度を異ならせる構成を採用する。
【００６１】
［製本装置の構成］
次に製本装置Ｂについて図６に従って説明する。この製本装置Ｂはケーシング３０内に印刷シートを束状に集積して部揃えする集積部４０と、この集積部４０からのシート束に接着糊を塗布する接着剤塗布手段５５と、接着剤を塗布されたシート束に表紙シートを綴じ合わせる表紙綴じ手段６０とから構成されている。
【００６２】
［搬送経路の構成］
各シートの搬送経路について説明すると、上記ケーシング３０内には画像形成装置Ｃの排紙口に連なる搬入口２６を有する搬入経路３１が設けられ、この搬入経路３１から中紙搬送経路３２と表紙搬送経路３４が経路切換フラッパ３６を介して連結されている。そして中紙搬送経路３２には集積部４０を介して製本経路３３が連設されている。製本経路３３は略々鉛直方向に装置を縦断する方向に、表紙搬送経路３４は略々水平方向に装置を横断する方向に配置されている。
【００６３】
上記製本経路３３と表紙搬送経路３４とは互いに交差（直交）し、その交差部に後述する表紙綴じ手段４５が配置されるようになっている。以上のように構成された搬入経路３１は画像形成装置Ｃの排紙口に連なり、画像形成装置から印刷シートを受入れる。この場合画像形成装置Ｃからはコンテンツ情報を印刷された印刷シート（中綴じシート）と表紙カバーとして使用するタイトルなどを印刷された印刷シート（以下「表紙シート」と云う）とが搬出される。このように搬入経路３１は中紙搬送経路３２と表紙搬送経路３４とに分岐され経路切換フラッパ３６を介して各印刷シートをそれぞれの経路に振り分け搬送することとなる。
【００６４】
一方、上記搬入経路３１にはインサータ装置２７が連結してあり、画像形成装置Ｃで印刷処理しない表紙シートを給紙トレイ２７ａから１枚ずつ分離して搬入経路３１に供給するように構成してある。このインサータ装置２７は一段又は複数段の給紙トレイ２７ａを備え、このトレイ先端には積載されたシートを１枚ずつ分離して給送する給紙手段と、この給紙手段の下流側に給紙経路２８が設けられ、この給紙経路は経路切換片２９を介して搬入経路３１に連結している。
【００６５】
また上記搬入経路３１には搬送ローラ３１ａが、中紙搬送経路３２には搬送ローラ３２ａが、製本経路３３にはグリップ搬送手段（シート束搬送手段；以下同様）４１と前述したシート束断裁装置（トリマーユニット）Ａと排紙ローラ（排紙手段）４８が配置されている。また表紙搬送経路３４には搬送ローラ３４ａが配置され、それぞれ駆動モータに連結されている。
【００６６】
［集積部の構成］
前記中紙搬送経路３２の排紙口３２ｂに配置された集積トレイ４２は排紙口３２ｂからのシートを束状に積載収納する。図１に示すように集積トレイ４２は略々水平姿勢に配置されたトレイ部材で構成され、その上方には正逆転ローラ４２ａと搬入ガイド４２ｂが設けられている。
【００６７】
そして排紙口３２ｂからの印刷シートを搬入ガイド４２ｂで集積トレイ上に案内し、正逆転ローラ４２ａで収納する。この正逆転ローラ４２ａは正回転で印刷シートを集積トレイ４２の先端側に移送し、逆回転でトレイ後端（図１右端）に配置された規制部材（不図示）にシート後端を突き当て規制する。また集積トレイ４２には図示しないシートサイド整合手段が設けられトレイ上に収納した印刷シートの両側縁を基準位置に幅寄せ整合する。このような構成で中紙搬送経路３２からの印刷シートはトレイ４２上に順次積み上げられ束状に部揃えされる。
【００６８】
［グリップ搬送手段の構成］
前記製本経路３３には集積トレイ４２からシートを下流側の接着剤塗布位置Ｅに移送するグリップ搬送手段４１が配置されている。このグリップ搬送手段４１は図１に示すように集積トレイ４２に集積したシート束を水平姿勢から鉛直姿勢に偏向し、このシート束を略々鉛直方向に配置された製本経路３３に沿って接着剤塗布位置Ｅに搬送セットする。このため、集積トレイ４２は集積位置（図１実線）から引き渡し位置（図１破線）に移動し、この引き渡し位置で準備されたグリップ搬送手段４１にシート束を引き渡すようになっている。
【００６９】
［接着剤塗布部の構成］
前記製本経路３３の接着剤塗布位置Ｅには接着剤塗布手段４３が配置されている。この接着剤塗布手段４３は図１に示すように熱溶融性の接着剤を収容する糊容器４３ａと、塗布ロール５７と、図示しないロール回転モータとで構成されている。
【００７０】
［表紙綴じ手段の構成］
上記製本経路３３の表紙綴じ位置Ｆには表紙綴じ手段４５が配置されている。この表紙綴じ手段４５は図１に示すように背当てプレート４６ａと背折りプレート４６ｂと折りロール４７で構成される。この表紙綴じ位置Ｆには前述の表紙搬送経路３４が配置され、画像形成装置Ｃ又はインサータ装置２７から表紙シートを給送する。
【００７１】
そして背当てプレート４６ｂは表紙シートをバックアップする板状部材で構成され、製本経路３３に進退自在に配置されている。この背当てプレート４６ｂに支持された表紙シートに（中紙）シート束が逆Ｔ字状に接合される。そこで上記背折りプレート４６ｂは左右一対のプレス部材で構成され、逆Ｔ字状に接合された表紙シートの背部Ｓｄを背折り成型するため、図示しない駆動手段で互いに接近及び離反するように構成されている。また上記折りロール４７は背折り成型されたシート束を挟圧して表装仕上げする一対のローラで構成されている。
【００７２】
上記断裁位置ＣｐＧの下流側には排紙ローラ（排紙手段）４８と収納スタッカ５０が配置されている。この収納スタッカ５０は図１に示すようにケーシング３０に引出状に配置され、装置フロント側（図１紙面手前側）に引出可能に構成されている。装置フロント側に引き出した状態で上面方向から使用者が視認できるようになっている。
【００７３】
一方、前記製本経路３３は表紙綴じ位置Ｆから上記収納スタッカ５０にシート束を導く排紙経路３３ａを構成し、この排紙経路３３ａに上記排紙ローラ４８が配置されている。この排紙ローラ４８は一対のローラ対で構成されシート束をニップして収納スタッカ５０に案内する排紙手段を構成している。また前記断裁位置ＣｐＧの下方には収納スタッカ５０と並列に屑収納ボックス５１が設けられ、切断刃２２で切断した紙片を収納する。
【００７４】
［制御手段の構成］
次に上述の装置に於ける制御手段５５の構成を図７に基づいて説明する。図１に示すような画像形成装置Ｃと製本装置Ｂとを連結したシステムでは、例えば画像形成装置Ｃに備えられた制御ＣＰＵ５３に入力手段５２と、モード設定手段５４を設ける。そして製本装置Ｂの制御部には制御ＣＰＵ（制御手段）５５を設け、この制御ＣＰＵ５５は製本処理実行プログラムをＲＯＭ５７から呼び出して製本経路３３における各処理を実行する。
【００７５】
またこの制御ＣＰＵ５５には画像形成装置Ｃの制御ＣＰＵ５３から後処理モード指示信号、ジョブ終了信号、シートサイズ情報その他製本に要する情報及びコマンド信号を受信する。一方前記搬入経路３１、製本経路３３、表紙搬送経路３４には搬送するシート（シート束）を検出するシートセンサ（不図示）がそれぞれ配置されている。
【００７６】
そこで制御ＣＰＵ５５には各シートセンサの検出信号が伝達され、制御ＣＰＵ５５は「集積部制御部５５ａ」「接着剤塗布手段制御部５５ｂ」「表紙綴じ手段制御部５５ｃ」「断裁手段制御部５５ｄ」「スタック制御部５５ｅ」をそれぞれ備えている。
【００７７】
［断裁動作の説明］
制御手段５５は、コントロールパネル（入力手段）５２などからオペレータが設定した断裁揃えするか否かの決定に従って断裁動作を実行する。
【００７８】
断裁動作を実行するとき、制御手段５５は断裁量を演算する。このとき一方向断裁のときには小口部Ｓｃの断裁量を演算する。また三方向断裁のときには、予め設定された断裁順に従って、断裁量を演算する。
【００７９】
断裁量の演算は、例えば断裁量は、小口部Ｓｃのときには小口方向の寸法から（シートサイズ−仕上げサイズ＝断裁量）で演算し、その算出値と最小断裁量と最大断裁量を考慮して実行する断裁量を決定する。また、三方向断裁のときには、小口部Ｓｃを同様に算出し、天部Ｓａと地部Ｓｂの断裁量は、［（シートサイズ−仕上げサイズ）×１／２＝断裁量］で演算し、その算出値と最小断裁量と最大断裁量を考慮して実行する断裁量を決定する。この場合に、最小断裁量は断裁揃えする最低カット幅から設定し、最大断裁量はシートの予約領域から設定し、算出値が最小断裁量より少ないとき、最大断裁量より大きいときには、最小断裁量または最大断裁量を実行する断裁量とする。
【符号の説明】
【００８０】
Ａ        シート束断裁装置（トリマーユニット）
Ｂ        製本装置
Ｃｐ      断裁位置
１０      偏向手段
１０ａ    第１グリップ部材（第１回転部材）
１０ｂ    第２グリップ部材（第２回転部材）
Ｍｇ      グリップモータ
Ｍｔ１    第１回転モータ
Ｍｔ２    第２回転モータ
１５      ユニットフレーム
Ｍｆ      シフトモータ
１７      断裁縁プレス手段（加圧機構）
１９      加圧部材
２０      断裁手段（カッタ機構）
２１      刃受部材
２２      切断刃
２３      カッタ作動部材（スクリュー機構）
Ｍｃ      カッタ駆動手段
２５      シフト手段
５１      屑ボックス（屑紙片収納部）
５５      制御手段
５６      移動量機構手段（ＲＡＭ）
【図１】
2015217494.tif 000003
【図２】
2015217494.tif 000004
【図３】
2015217494.tif 000005
【図４】
2015217494.tif 000006
【図５】
2015217494.tif 000007
【図６】
2015217494.tif 000008
【図７】
2015217494.tif 000009
【図８】
2015217494.tif 000010
【図９】
2015217494.tif 000011
【図１０】
2015217494.tif 000012